(57)【要約】      （修正有）【課題】ベゼルの誤操作を防止し、ベゼル操作時の姿・形を通常時と同様にコンパクトに保持できるとともに、落下時の耐衝撃性も向上できる時計を提供する。【解決手段】腕時計11は、胴、ベゼル31、及びガード35を具備する。胴は、透明な文字板カバー25が取付けられた円形の上向き凸部、包囲壁部18、及びベゼル操作用の開放部21を有する。開放部21に臨む手掛け用凹凸33が形成されたベゼル31を、上向き凸部の外周に回転可能に支持させて、包囲壁部18に沿った隙間を形成して配設溝に配設する。包囲壁部18の抜け止め部に係合してベゼル31の周方向に移動されるガード35を隙間に配設し、ガード35を、開放部21を閉じて手掛け用凹凸33への手掛けを邪魔する使用位置と開放部21を開いて手掛け用凹凸33への手掛けを可能とする待避位置とにわたって移動可能にする。このガード35を使用位置に位置決め手段で保持する。【選択図】図２
2010190676.tif 000002
【特許請求の範囲】
【請求項１】
透明な文字板カバーが取付けられる円形の上向き凸部、この凸部との間に配設溝を形成した包囲壁部、及びベゼル操作用の開放部を有し、かつ、前記包囲壁部に抜け止め部が形成されている胴と、
前記上向き凸部の外周に回転可能に支持されるとともに前記包囲壁部との間に前記包囲壁部に沿った隙間を形成して前記配設溝に配設され、かつ、周部に手掛け用凹凸が形成されているベゼルと、
前記抜け止め部に係合し、かつ、前記隙間に前記ベゼルの周方向に移動可能に配設され、前記開放部の少なくとも一部を閉じて前記手掛け用凹凸への手掛けを邪魔する使用位置と前記開放部を開いて前記手掛け用凹凸への手掛けを可能とする待避位置とにわたって移動されるガードと、
このガードを前記使用位置に保持するとともにこの保持が前記ベゼルの回転操作時に解除される位置決め手段と、
を具備したことを特徴とする時計。
【請求項２】
前記ガードが前記ベゼルの上面より高く突出する指掛け部を有していることを特徴とする請求項とする請求項１に記載の時計。
【請求項３】
前記ガードが平面視リング形状であって、このガードが、前記開放部の少なくとも一部を閉じる邪魔部と、この邪魔部より高さが低く前記邪魔部の下端部から側方に円弧状をなして延出された棒状ベース部とを有していることを特徴とする請求項１又は２に記載の時計。
【請求項４】
前記邪魔部が前記開放部全体を閉じる長さを有する円弧状の板により形成されていることを特徴とする請求項３に記載の時計。
【請求項５】
前記胴が１２時側と６時側の夫々に一対のかん足を有していて、前記開放部が１２時側に位置された一対の前記かん足間及び６時側に位置された一対の前記かん足間に夫々設けられており、前記ガードに、前記邪魔部が一対設けられているとともに、前記棒状ベース部が一対設けられていることを特徴とする請求項３又は４に記載の時計。
【請求項６】
前記ガードが一体品であることを特徴とする請求項３から５の内のいずれか一項に記載の時計。
【請求項７】
前記ガードが前記邪魔部及び棒状ベース部を有して平面視半円形をなした第１のガード部材と第２のガード部材からなり、これら第１、第２のガード部材が点対称に配置されていて、前記第１のガード部材の邪魔部の円弧が延びる方向の一端に前記第２のガード部材の棒状ベース部の先端が当たっているとともに、第２のガード部材の邪魔部の円弧が延びる方向の一端に前記第１のガード部材の棒状ベース部の先端が当たっていることを特徴とする請求項３から５の内のいずれか一項に記載の時計。
【請求項８】
前記位置決め手段が、前記配設溝の底に接する前記ガードの裏面に開放して前記ガードに設けられた係止穴と、この係止穴に係脱されるクリックボール及びこのボールを前記ガードの裏面に押付けるクリックばねを有して前記胴に設けられたクリックストッパと、を備えていることを特徴とする請求項１から７の内のいずれが一項に記載の時計。
【発明の詳細な説明】
【技術分野】
【０００１】
本発明は、回転可能なベゼルを備えた腕時計や懐中時計等の時計に関する。
【背景技術】
【０００２】
ベゼルは、リング形状であって、胴の周方向に回転できるように胴の上部外周に取付けられている。ベゼルは使用者により回転させられて任意のセット位置に配置される。このベゼルの目盛りを腕時計の長針が指し示すことにより、例えばベゼルを任意の位置に回転させてからの経過時間を確認できる。こうした確認の信頼性を確保するために、ベゼルを任意のセット位置から動かないように保持して、ベゼルの誤操作を防止する工夫が採用されている。
【０００３】
この工夫として、時計ケースの側面部にヒンジ部を介してベゼル蓋部材を回動自在に取付け、このベゼル蓋部材の枠部の内面に段差面を設け、この段差面をベゼルの外縁に形成された凹凸形状のローレットに係合させることにより、ベゼルをセット位置に保持できるようにした従来技術が知られている。
【０００４】
この従来技術において、ローレットはベゼルを回転させる際に使用者の指が掛かる部位であり、ベゼル蓋部材の段差面はローレットに合致する形状である。このため、ベゼル蓋部材を開くことにより使用者はベゼルを回転操作することができる。ベゼルをセット位置に配置した後に、時計ケースの上面を覆うようにベゼル蓋部材を閉じることにより、その段差面をローレットに係合させてベゼルの回転を防止できる。
【先行技術文献】
【特許文献】
【０００５】
【特許文献１】特開平１１−１６６９８３号公報
【発明の概要】
【発明が解決しようとする課題】
【０００６】
この従来技術でベゼルを回転操作する際、時計ケースと同程度の大きさのベゼル蓋部材が、時計ケースの上面を開放するようにヒンジ部を支点として回転されて開かれるので、この状態での姿・形が大きい。しかも、ベゼル蓋部材が開かれた状態で、腕時計が落下することがあると、ヒンジ部や開かれた状態のベゼル蓋部材に作用する衝撃で、これらが容易に損傷する恐れが高い。
【０００７】
以上のように従来技術では、ベゼルの誤操作を防止する工夫を原因とするベゼル操作時の姿・形の大形化と落下時の耐衝撃性が低い、という課題がある。
【課題を解決するための手段】
【０００８】
前記の課題を解決するために、本発明は、透明な文字板カバーが取付けられる円形の上向き凸部、この凸部との間に配設溝を形成した包囲壁部、及びベゼル操作用の開放部を有し、かつ、前記包囲壁部に抜け止め部が形成されている胴と、前記上向き凸部の外周に回転可能に支持されるとともに前記包囲壁部との間に前記包囲壁部に沿った隙間を形成して前記配設溝に配設され、かつ、周部に手掛け用凹凸が形成されているベゼルと、前記抜け止め部に係合し、かつ、前記隙間に前記ベゼルの周方向に移動可能に配設され、前記開放部の少なくとも一部を閉じて前記手掛け用凹凸への手掛けを邪魔する使用位置と前記開放部を開いて前記手掛け用凹凸への手掛けを可能とする待避位置とにわたって移動されるガードと、このガードを前記使用位置に保持するとともにこの保持が前記ベゼルの回転操作時に解除される位置決め手段と、を具備したことを特徴としている。
【０００９】
本発明で、胴の開放部は一つでも差し支えないが、ベゼルの回転操作を容易にする上で径方向に対応する位置の二箇所に開放部を設けることが好ましい。本発明で、包囲壁部の抜け止め部は、加工を容易にする上で隙間に臨んだ包囲壁部の内周に開放して周方向に連続する溝で形成することが好ましいが、ガードが係合部として係合溝を有している場合には、これに係合される凸部によって抜け止め部を形成することも可能である。本発明で、手掛け用凹凸部は、ベゼルの周部の上側角部のみに形成されていても、その凹み部がベゼルの上下両面に夫々開放してベゼルの周部の上下方向全体にわたって形成されていても良い。
【００１０】
本発明で、ガードが開放部の少なくとも一部を閉じるとは、開放部に臨んだベゼルの手掛け用凹凸に使用者の指等が接することを邪魔するようにガードが開放部内の少なくとも一部を占めて配置された状態を指しており、この状態にガードが配置されたことを、本発明では使用位置にガードが配置されたと称する。ガードは、使用位置で開放部の一部を閉じる大きさであっても、使用位置で開放部全体を閉じる大きさであっても差し支えない。本発明で、ガードが開放部を開くとは、使用者がベゼルを回転操作しようとする際、使用者の指が開放部に臨んだベゼルの手掛け用凹凸に接することを邪魔しないようにガードが開放部から外れて配置された状態を指しており、この状態にガードが配置されたことを、本発明では待避位置にガードが配置されたと称する。
【００１１】
本発明の時計のガードは、胴の周方向に手で動かされて使用位置と待避位置とに選択的に配置される。使用位置に配置されたガードは、胴の開放部の少なくとも一部を閉じた状態に位置決め手段により保持されているので、開放部に臨んだベゼルの手掛け用凹凸に使用者の指等の物が不意に触れて、ベゼルにこれを回転させる力が与えられることを妨げて、ベゼルの誤操作を防止する。使用者により意図的にガードが退避位置に配置された場合、開放部に臨んだベゼルの手掛け用凹凸に使用者が指を掛けることを、ガードが妨げないので、使用者はベゼルを任意のセット位置に配置されるように回転させることができる。
【００１２】
以上のようにベゼルの誤操作を防止する部材であるガードは、ベゼルの外周に沿うように胴の周方向に移動されて使用位置又は待避位置のいずれかに配置されるので、ベゼルを回転させる操作をする際にガードが待避位置に移動された場合でも、時計の姿・形を通常時と同様にコンパクトに保持できる。これとともに、ガードは常に円形のベゼルの周方向に沿うように配設されていて、特に待避位置では胴の包囲壁部で覆われている。このため、時計を落とした際等において、ガードが胴で保護され、ガードが変形や破損をし難く、耐衝撃性を向上できる。
【００１３】
本発明の好ましい形態では、前記ガードが前記ベゼルの上面より高く突出する指掛け部を有していることを特徴としている。
【００１４】
この好ましい形態では、使用者がガードを使用位置又は待避位置に移動させるのに、開口部を通して操作をすることなく、ガードの上方に突出した指掛け部に使用者の指を掛けて行うことができるので、ガードを移動させるための操作性がよい、という利点がある。
【００１５】
本発明の好ましい形態では、前記ガードが平面視リング形状であって、このガードが、前記開放部の少なくとも一部を閉じる邪魔部と、この邪魔部より高さが低く前記邪魔部の下端部から側方に円弧状をなして延出された棒状ベース部とを有していることを特徴としている。
【００１６】
この好ましい形態では、ガードを円形のベゼルの外周に沿うように回転させることにより、その邪魔部を使用位置と待避位置とに選択的に配置できるとともに、棒状ベース部が開放部に配置されたとき、この棒状ベース部は手掛け用凹凸に指を掛けることを妨げないので、ガードを移動させる操作を容易にできるという利点がある。
【００１７】
本発明の好ましい形態では、前記邪魔部が前記開放部全体を閉じる長さを有する円弧状の板により形成されていることを特徴としている。
【００１８】
この好ましい形態では、ガードの邪魔部が開放部に配置されたとき、開放部全体が邪魔部で閉じられるので、ベゼルの誤操作を防止する信頼性がより高められるという利点がある。
【００１９】
本発明の好ましい形態では、前記胴が１２時側と６時側の夫々に一対のかん足を有していて、前記開放部が１２時側に位置された一対の前記かん足間及び６時側に位置された一対の前記かん足間に夫々設けられており、前記ガードに、前記邪魔部が一対設けられているとともに前記棒状ベース部が一対設けられていることを特徴としている。
【００２０】
この好ましい形態では、本発明を腕時計として実施する場合、この腕時計が腕に装着された状態で、そのガードを移動操作する際及びベゼルを回転操作する際に、ガード及びベゼルに対してこれらを操作する手が無理な姿勢となることなく、腕時計に対して自然な状態に指を配置した上で、ガード及びベゼルを操作できるという利点がある。
【００２１】
本発明の好ましい形態では、前記ガードが一体品であることを特徴としている。
【００２２】
この好ましい形態では、部品数が増えないとともに、ガードに継ぎ目がないので、ガードが移動される際に継ぎ目がある場合のように継ぎ目を原因として胴等に引っ掛かってガードの移動が不円滑になる恐れがないという利点がある。
【００２３】
本発明の好ましい形態では、前記ガードが前記邪魔部及び棒状ベース部を有して平面視半円形をなした第１のガード部材と第２のガード部材からなり、これら第１、第２のガード部材が点対称に配置されていて、前記第１のガード部材の邪魔部の円弧が延びる方向の一端に前記第２のガード部材の棒状ベース部の先端が当たっているとともに、第２のガード部材の邪魔部の円弧が延びる方向の一端に前記第１のガード部材の棒状ベース部の先端が当たっていることを特徴としている。
【００２４】
この好ましい形態では、ガードが点対称に配置される第１、第２の二部材で作られていて、いずれか一方のガード部材の移動で他方のガード部材を押し動かすことができる。それにより、ガードがベゼルの外周に沿うように回転されるに伴って、その邪魔部を使用位置と待避位置とに選択的に配置できる。そして、ガードが同一構成の半円形をなす二部材で作られているので、それらの胴に対する組み込みが、ガードがリング形状に一体形成された場合に比較して容易であるという利点がある。
【００２５】
本発明の好ましい形態では、前記位置決め手段が、前記配設溝の底に接する前記ガードの裏面に開放して前記ガードに設けられた係止穴と、この係止穴に係脱されるクリックボール及びこのボールを前記ガードの裏面に押付けるクリックばねを有して前記胴に設けられたクリックストッパと、を備えていることを特徴としている。
【００２６】
この好ましい形態では、胴の開放部の少なくとも一部を閉じた状態にガードを位置決めして保持できるとともに、位置決め手段により保持されたガードを、胴の開放部を開くために移動させる際に、クリックボールが回転するので、ガードと位置決め手段や胴とが競ることがなく、そのため、このガードの移動が円滑であるという利点がある。
【発明の効果】
【００２７】
本発明の時計によれば、ベゼルの誤操作を防止する工夫に拘らずに、ベゼル操作時の姿・形を通常時と同様にコンパクトに保持できるとともに、落下時の耐衝撃性も向上できる、という効果がある。
【図面の簡単な説明】
【００２８】
【図１】本発明の第１実施形態に係る腕時計を示す正面図である。
【図２】（Ａ）は図１の腕時計をそのガードがベゼルの回転操作を防ぐ使用位置に配置された状態で示す斜視図である。（Ｂ）は図１の腕時計をそのガードがベゼルの回転操作を許す待避位置に配置された状態で示す斜視図である。
【図３】図２（Ａ）中矢印Ｆ３−Ｆ３線に沿って示す腕時計の断面図である。
【図４】図２（Ｂ）中矢印Ｆ４−Ｆ４線に沿って示す腕時計の断面図である。
【図５】図１の腕時計が備えたガードを示す斜視図である。
【図６】図１の腕時計のガードの位置決め手段を示す断面図である。
【図７】（Ａ）は図１の腕時計のガードの位置決め手段の他の例を示す断面図である。（Ｂ）は図７（Ａ）中矢印Ｆ７Ｂ−Ｆ７Ｂ線に沿って示す保持手段の断面図である。
【図８】本発明の第２実施形態に係る腕時計が備えるガードを示す斜視図である。
【発明を実施するための形態】
【００２９】
以下、図１〜図７を参照して本発明の第１の実施の形態について、詳細に説明する。
【００３０】
図１〜図４中符号１１は時計例えば携帯時計具体的には腕時計を示している。腕時計１１の時計外装体１２内に、図示しないが時計ムーブメントと円形の文字板が設けられている。文字板の３時の時刻表示側に対応して竜頭１３（図１及び図２参照）が時計外装体１２に取付けられている。竜頭１３は時計ムーブメントを介して短針及び長針などの時刻表示針を調整する際に操作される。
【００３１】
図３及び図４に示すように時計外装体１２は、胴１４と、文字板カバー２５と、図示しない裏蓋を備えている。
【００３２】
胴１４はステンレスやチタン等の金属又は合成樹脂により略円環状に作られている。図１及び図２に示すように胴１４は、文字板の１２時側に左右方向に互いに離れた一対のかん足１５を一体に有しているとともに、文字板の６時側にも左右方向に互いに離れた一対のかん足１６を一体に有している。これらのかん足１５,１６には図示しないベルト等の腕装着部材が取付けられる。文字板を透視させる文字板カバー２５は、例えばガラス製であり、胴１４の正面部に液密に装着されている。図示されない裏蓋は、金属又は合成樹脂製であって、胴１４の裏面を閉じて側を胴１４の裏面部に液密に装着されている。
【００３３】
図３及び図４に示すように胴１４はその正面部（上部）に上向き凸部１７を一体に有している。この上向き凸部１７は、円形であり、その内周に文字板カバー２５が液密に装着されている。なお、上向き凸部１７は文字板カバー２５の上面（表面）より低いが、これらは略同じ高さであっても差し支えない。
【００３４】
図１、図２、図４に示すように胴１４はその正面部（上部）に包囲壁部１８を一体に有している。包囲壁部１８は、上向き凸部１７より胴１４の径方向外側に位置して設けられ、かつ、この上向き凸部１７との間に配設溝１９を形成している。包囲壁部１８は、例えば文字板カバー２５の上面より多少低いが、上向き凸部１７の上端よりは高い。この包囲壁部１８の突出基部に配設溝１９に臨んで開放する溝条からなる抜け止め部２０（図４参照）が形成されている。この抜け止め部２０の長手方向両端は次に説明する開放部２１に開放されている。
【００３５】
図２（Ｂ）に示すように胴１４は開放部２１を有している。開放部２１は例えば胴１４の周方向に１８０°離れて設けられていて、これら２箇所の開放部２１により包囲壁部１８は左右に分けられている。一方の開放部２１はかん足１５，１５間に設けられ、他方の開放部２１はかん足１６，１６間に設けられている。言い換えれば、一方の開放部２１は文字板の１２時側に位置され、他方の開放部２１は文字板の６時側に位置されている。配設溝１９は、上向き凸部１７の外周に沿って設けられていて、上方が開放されている。この配設溝１９は２箇所の開放部２１に連通している。
【００３６】
図３及び図４に示すように胴１４の上部には上向き凸部１７と配設溝１９との間に位置して凹溝２２が形成されている。この凹溝２２は、リング形に形成されていて、配設溝１９に開放されている。凹溝２２に金属製の節度部材２３が取付けられている。この節度部材２３は、リング形のベース２３ａと、複数の節度片２３ｂ（一個のみ図３及び図４に夫々示す）とからなる。ベース２３ａは凹溝２２の底面にねじ止めされている。節度片２３ｂはベース２３ａから切り起こされていて、その先端部はＶ字状などに曲げられている。この節度片２３ｂは弾性変形が可能である。
【００３７】
胴１４の上部にベゼル３１が回転可能に設けられている。このベゼル３１は、金属又は合成樹脂で作られていて、リング形をなしている。ベゼル３１は、その外周と包囲壁部１８との間に隙間Ｇを形成して配設溝１９に配設されていて、図３及び図４に示すように上向き凸部１７の外周にその周方向に沿って形成された係合凸部１７ａに下方から引っ掛かって外れ止めされた状態で回転可能に支持されている。
【００３８】
ベゼル３１は例えばその上部内周に中心に向けて突出する内向き鍔部３１ａを一体に有しており、この内向き鍔部３１ａは上向き凸部１７の上端を覆っている。なお、この内向き鍔部３１ａは省略できる。ベゼル３１の内周に上向き凸部１７の外周に接する摩擦リング３２が取付けられている。この摩擦リング３２は、内向き鍔部３１ａと係合凸部１７ａとの間に配設されている。
【００３９】
ベゼル３１はその周部に手掛け用凹凸３３を有している。この手掛け用凹凸３３は、例えば断面形状がＶ字形状の凸部と凹部をベゼル３１の周方向全体にわたり交互に設けて形成されていて、その凹部はベゼル３１の上下両面に夫々開放されている。この手掛け用凹凸３３の一部は、図２（Ｂ）に示すように胴１４の開放部２１に臨んでこの開放部２１を通して胴１４の外部に露出されている。
【００４０】
配設溝１９の底面に対向するベゼル３１の下面に多数の節度溝３４（一個のみ図３及び図４に夫々示す）が設けられている。これら節度溝３４はベゼル３１の周方向に沿って一定ピッチでベゼル３１の下面を例えば６０分割しており、その長手方向に直交する方向（図３及び図４を描いた紙面の表裏を結ぶ方向）の溝断面形状はＶ字状をなしている。各節度溝３４の内で節度片２３ｂに対向した節度溝３４には、節度片２３ｂのＶ字状先端部が係脱可能に係合されている。そのため、ベゼル３１が回転される際、節度片２３ｂがその弾性変形を伴って節度溝３４に順次出し入れされ、節度溝３４に係合する度にベゼル３１の回転に節度が与えられるようになっている。
【００４１】
配設溝１９内、より正確には前記隙間Ｇにガード３５がベゼル３１の周方向に移動可能に配設されている。ガード３５は、例えば金属製の一体品であり、図５に示すように一対の邪魔部３６とこれらに交互に配設された一対の棒状ベース部３７を有して、リング形状に形成されている。邪魔部３６は開放部２１に対向したときにこの開放部２１全体を閉じる長さを有した円弧状の板部により形成されている。棒状ベース部３７は、邪魔部３６より高さが低い棒状であって、邪魔部３６の下端部から円弧状をなして延出されていて、邪魔部３６同士を一体に連結して設けられている。
【００４２】
ガード３５は係合部３８を有している。係合部３８は邪魔部３６の下端部から外側に張り出した部位とこれに連続した棒状ベース部３７の外周側部位とからなる。この係合部３８は包囲壁部１８の抜け止め部２０内に摺動可能に係合されており、それによってガード３５が配設溝１９から上方に外れないように支持されている。
【００４３】
図２（Ａ）（Ｂ）に示すようにガード３５は、ベゼル３１の上面より高く突出された指掛け部３９を有している。指掛け部３９は一対の邪魔部３６の円弧が延びる方向の一端部上面に夫々一体に突出されていて、１８０°隔たっている。これら指掛け部３９に使用者がその親指と人差し指等を掛けて状態でガード３５を回転操作することができ、それに伴い邪魔部３６が使用位置と待避位置とにわたって移動可能である。
【００４４】
図２（Ａ）に邪魔部３６が使用位置に配置された状態を示す。この状態では、開放部２１に臨んだベゼル３１の手掛け用凹凸３３を邪魔部３６が覆い隠して、使用者等によるベゼル３１の回転操作を邪魔するように邪魔部３６が開放部２１全体を閉じている。図２（Ｂ）に邪魔部３６が待避位置に配置された状態を示す。この状態では、開放部２１に臨んだベゼル３１の手掛け用凹凸３３を胴１４外に露出させて、使用者等によるベゼル３１の回転操作を可能とするように邪魔部３６が開放部２１全体を開いて隙間Ｇ内に没入されている。
【００４５】
腕時計１１はガード３５の邪魔部３６を使用位置に保持する位置決め手段を備えている。この位置決め手段の一例を図６に示し、他の例を図７に示す。
【００４６】
図６に示された位置決め手段４１は、係止穴４２と、クリックストッパ４３を備えている。係止穴４２は配設溝１９の底に接するガード３５の裏面（下面）に開放して設けられている。クリックストッパ４３は、配設溝１９の一部をなした隙間Ｇに開放して胴１４に形成された設置穴４４に収納されたクリックばね４５と、係止穴４２に係脱されるクリックボール４６とを有している。クリックばね４５はコイルばねからなり、その先端部にクリックボール４６が回転可能に取付けられている。このクリックボール４６は鋼球等からなり、クリックばね４５のばね力でガード３５の裏面に押付けられている。
【００４７】
この位置決め手段４１によれば、クリックボール４６が係止穴４２に係合することで、ガード３５を使用位置に位置決めできて、邪魔部３６が胴１４の開放部２１を閉じた状態に保持される。これとともに、使用位置からガード３５が回されて退避位置に移動される際に、クリックボール４６は係止穴４２から外れてガード３５の移動に従いその裏面に対して連れ回りする。このように開放部２１を開くためにガード３５を移動させる際に、クリックボール４６が回転してガード３５が競らないので、ガード３５を円滑に移動させることができる。
【００４８】
図７（Ａ）（Ｂ）に示された位置決め手段１４１は、上下方向ではなく横方向に構成されていて、係止穴４８と、クリックベルト４９とを備えている。係止穴４８は配設溝１９の一部をなした隙間Ｇに開放して包囲壁部１８の例えば根元部に形成されている。クリックベルト４９は、ゴム状弾性体からなり、係止穴４８と同じ高さ位置、例えばガード３５の下端部の係合部３８に接着材を用いて固定されている。このクリックベルト４９の一部に、これと一体のクリック凸部４９ａが突設されている。ガード３５が回されるに従いクリック凸部４９ａはその弾性変形を伴って係止穴４８に係脱できる。
【００４９】
この位置決め手段１４１によれば、図７（Ｂ）に示すようにクリック凸部４９ａが係止穴４８に係合することで、ガード３５が使用位置に位置決めされて、邪魔部３６が胴１４の開放部２１を閉じた状態に保持される。これとともに、使用位置からガード３５が回されて退避位置に移動される際には、クリック凸部４９ａ及びその近傍の部位の弾性変形により、クリック凸部４９ａが係止穴４８から外れてガード３５の退避位置への移動を許容する。なお、この図７（Ａ）（Ｂ）に示された位置決め手段１４１において、クリック凸部４９ａの弾性変形をより容易にするために、この凸部の裏側に対向する逃げ溝３５ａをガード３５に抉って形成することが望ましい。この逃げ溝を図７（Ｂ）に点線で示す。
【００５０】
腕時計１１の携帯時等の通常の使用状態は図２（Ａ）に示されている。この状態では、ガード３５が使用位置に配置されている。使用位置に配置されたガード３５が有した一対の邪魔部３６は、胴１４の一対の開放部２１にこれを閉じて配置され、図３に示すようにベゼル３１の手掛け用凹凸３３の開放部２１に臨んだ部位を覆っている。そして、使用位置に在るガード３５は、その位置に位置決め手段４１又は１４１により保持されている。この保持（位置決め）は図６に示すようにクリックばね４５の付勢力でクリックボール４６がガード３５の係止穴４２に係合することによりなされている。
【００５１】
以上のようにガード３５が使用位置に在る携帯時等の通常の使用状態では、ベゼル３１がその全周に有した手掛け用凹凸３３は、胴１４の包囲壁部１８とこの壁部の円弧が延びる方向に連続して配置された邪魔部３６で覆われている。したがって、これら包囲壁部１８と邪魔部３６は、円形状をなして互いに連続するように配置されているため、手掛け用凹凸３３に使用者の指等のベゼル３１に回転力を与える可能性がある物が接触することが妨げられる。それに伴い、後述のように所望のセット位置に回転操作されたべゼル３１が不用意に回転されてしまう誤操作を防止できる。
【００５２】
次に、ベゼル３１を任意の位置に回転操作する手順を説明する。まず、ガード３５を使用位置から図２（Ｂ）に示した退避位置に移動させる。この場合、ガード３５の移動は、開放部２１においてガード３５を胴１４の周方向に擦るように押し動かすことも可能であるが、本実施形態ではガード３５に形成された上向きの指掛け部３９を利用して行うことができる。すなわち、腕時計１１の正面側に突出されて周方向に略１８０°離れている一対の指掛け部３９に親指と他の指（人差し指等）を掛けて、ガード３５を回転操作することができる。この操作は、開放部２１においてガード３５を移動操作させる場合に比べて遥かに容易であるとともに、腕時計１１を腕に装着した状態のままでも行える。したがって、ガード３５を退避位置から使用位置に移動させる場合にも、同様に腕時計１１の正面側から容易に行える。
【００５３】
この場合、はじめに、ガード３５の係止穴４２の内面が、これに係合しているクリックボール４６をクリックばね４５に抗して押し下げて、クリックボール４６から係止穴４２が外れて、位置決め手段４１又は１４１によるガード３５の保持が解除された後に、ガード３５が動かされる。こうした挙動により、ガード３５は略９０°回転されて退避位置に配置され、この状態で開放部２１から外れたガード３５の邪魔部３６はベゼル３１と包囲壁部１８との間の隙間Ｇに配置される。以上のように胴１４の開放部２１を開くためにガード３５を移動させる際に、位置決め手段４１においては、クリックボール４６は移動されるガード３５の下面に連れ回りするので、ガード３５が胴１４等に競ることがないので、ガード３５は円滑に退避位置に移動される。
【００５４】
ガード３５が退避位置に配置された状態を図２（Ｂ）及び図４に示す。この状態では、胴１４の開放部２１が開放されている。この状態で、開放部２１ガード３５に棒状ベース部３７が配置されているが、この棒状ベース部３７は、開放部２１の高さに比較して遥かに薄く、手掛け用凹凸３３の下端部のみを覆っているに過ぎないので、ベゼル３１の手掛け用凹凸３３は、そこに手を掛けてベゼル３１を回転操作するのに必要十分な状態に、開放部２１に露出された状態に在る。
【００５５】
したがって、使用者は、腕時計１１を腕に装着した状態のままで、一対の開放部２１に配置される親指とそれ以外の指（人差し指等）で、ガード３５に邪魔されることなくベゼル３１を掴んで、このベゼル３１を所望する角度だけ回転させることができる。この回転によりベゼル３１を所望のセット位置に配置した後には、再び、指掛け部３９を利用してガード３５を回転操作し、このガード３５を図２（Ｂ）に示した待機位置から図２（Ａ）に示した使用位置に配置することで、セット位置に配置されたベゼル３１が不用意に誤操作されないようにできる。
【００５６】
以上のようにベゼル３１の誤操作を防止する部材であるガード３５は、ベゼル３１の外周に沿うように胴１４の周方向に移動されて使用位置又は待避位置のいずれかに配置される。このため、図２（Ａ）と図２（Ｂ）との比較から明らかなようにベゼル３１を回転操作する際にガード３５が待避位置に移動された場合でも、腕時計１１の姿・形を通常時と同様にコンパクトに保持できる。
【００５７】
これとともに、ガード３５は常に円形のベゼル３１の外周に沿うように設けられていて、特に待避位置では胴１４の包囲壁部１８で覆われている。このため、腕時計１１を落とした際等において、ガード３５は、胴１４で保護されるので、変形や破損をし難く、耐衝撃性を向上できる。
【００５８】
又、胴１４の１２時側と６時側の夫々に一対のかん足１５，１６を有した腕時計１１において、開放部２１は、１２時側に位置された一対のかん足１５，１５間及び６時側に位置された一対のかん足１６，１６間に夫々設けられていて、ガード３５は、一対の邪魔部３６と一対の棒状ベース部３７とを交互に設けてリング形状に作られている。そのため、既述のように腕時計１１が腕に装着された状態で、そのガード３５を移動操作する際及びベゼル３１を回転操作する際に、ガード３５及びベゼル３１に対してこれらを操作する手が無理な姿勢とならない。したがって、腕時計１１に対して自然な状態に指を配置した上で、ガード３５及びベゼル３１を操作できる。
【００５９】
しかも、以上のように一対の邪魔部３６と一対の棒状ベース部３７を有したガード３５は一体品であるので、腕時計１１の部品数が増えないだけではなく、ガード３５に継ぎ目がない。したがって、ガード３５が移動される際に継ぎ目がある場合のように継ぎ目を原因として胴１４の配設溝１９の内面に引っ掛かってガード３５の移動が不円滑になる恐れがない。
【００６０】
図８は本発明の第２の実施形態を示している。この第２実施形態は、ガード３５が二部品で構成されること以外の事項は、図８に示されない構成を含めて第１実施形態と同じである。そのため、以下の説明において、第１実施形態と同じ構成については同一符号を付してその説明を省略する。
【００６１】
第２実施形態の腕時計が備えるガード３５は、図８に示すように一つの邪魔部３６及び一つの棒状ベース部３７を有して夫々平面視半円形をなした第１のガード部材３５Ａと第の２ガード部材３５Ｂからなる。これら第１のガード部材３５Ａと第２のガード部材３５Ｂは、点対称に配置されて、リング形状に組み合わされている。そのため、第１のガード部材３５Ａの邪魔部３６の円弧が延びる方向の一端に第２のガード部材３５Ｂの棒状ベース部３７の先端が当たっているとともに、第２のガード部材３５Ｂの邪魔部３６の円弧が延びる方向の一端に第１のガード部材３５Ａの棒状ベース部３７の先端が当たっている。
【００６２】
以上のように点対称に配置された第１ガード部材３５Ａと第２ガード部材３５Ｂの二部材で作られているガード３５は、ベゼル３１の外周に沿って回転操作される際に、いずれか一方のガード部材の移動で他方のガード部材を押し動かしてことができ、それによりガード３５が円形のベゼルの外周に沿うように回転されて、その邪魔部３６を使用位置と待避位置とに選択的に配置できる。したがって、このようなガード３５を備えた第２実施形態に係る腕時計においても、第１実施形態で既に説明した理由によって本発明の課題を解決できる。
【００６３】
しかも、既述のようにガード３５が同一構成の半円形をなす二部材で作られているので、それらの胴１４に対する組み込みは、ガードがリングの一体品である場合に比較して容易である。
【００６４】
なお、本発明は、腕時計以外の携帯時計例えば懐中時計にも適用可能であるとともに、携帯されない時計例えば置時計等にも適用することが可能である。
【符号の説明】
【００６５】
１１…腕時計（時計）
１４…胴
１５，１６…かん足
１７…上向き凸部
１８…包囲壁部
１９…配設溝
２０…抜け止め部
２１…開放部
２５…文字板カバー
Ｇ…隙間
３１…ベゼル
３３…手掛け用凹凸
３５…ガード
３５Ａ…第１のガード部材
３５Ｂ…第２のガード部材
３６…邪魔部
３７…棒状ベース部
３８…係合部
３９…指掛け部
４１，１４１…位置決め手段
４２…係止穴
４３…クリックストッパ
４５…クリックばね
４６…クリックボール
【図１】
2010190676.tif 000003
【図２】
2010190676.tif 000004
【図３】
2010190676.tif 000005
【図４】
2010190676.tif 000006
【図５】
2010190676.tif 000007
【図６】
2010190676.tif 000008
【図７】
2010190676.tif 000009
【図８】
2010190676.tif 000010